(57)【特許請求の範囲】
【請求項１】
外周に多数の放熱孔を有する筒状覆体と、下面にソケットを配置し、安定器をソケットの上部に配置し、前記筒状覆体の内部に装着してなる電気部品支持体と、
前記ソケットを挿通する空孔を形成し、外面全体にプリズムを形成したセードを支持するセード支持部を外周に有し、
前記ソケットを挿通する空孔の上壁の外周に複数の空気孔を形成し、同空気孔から前記ソケットに装着してなる光源の高熱の一部が外部に抜けるように、前記セードと前記筒状覆体との間に所定の間隔を有して構成した段付受けリングと、
前記段付受けリングの前記セード支持部に、前記セードの上端部を掛合支持するとともに、
前記段付受けリングのセード支持部の下面に白色塗装を施して、同下面からの反射光を散乱させ、セードの直下に照射する光りが少なくなるように構成し、
さらに段付受けリングの縦壁に所定の間隔で空孔を形成し、同空孔から支持バネの一部を突出させ、同支持バネが段付受けリングのセード支持部に掛合支持して前記セードの一部を押圧するように構成したことを特徴とする天井用照明器具。
【発明の詳細な説明】
【技術分野】
【０００１】
本発明は、工場、商業施設等の天井に取り付けて使用する天井用照明器具の改良に関する。
【背景技術】
【０００２】
従来、工場や商業施設等の天井に取り付けて使用する天井用照明器具は、筒状の天井用の照明器具本体の内部にソケットを固定し、天井用の照明器具本体の下端近傍に配光制御するためのセードを支持して構成した構造のものが存在する。
【特許文献１】特開２００４−３４９２３５（図１）
【特許文献２】特開平７−２４９３０９（図１）
【発明の開示】
【発明が解決しようとする課題】
【０００３】
しかし、天井用照明器具において、高効率の放電ランプを装着して点灯すると、放電ランプから発生する高熱がこもり、放電ランプ自体が短寿命となり、また照明器具本体あるいはセードの外壁部も相当高温となる欠点がある。
またセードは、配光を制御するため、セードと光源の位置の関係が重要となるが、セードは、筒状の照明器具本体のセード支持部に載置して構成したものが多数存在する。
そのため、地震等の振動があると、セードが若干傾斜した状態が継続されることがあり、所望の配光をえられないことがある。またセードの直下の被照射面の照度が特に高くなり、被照射面における照度のバラツキが大きくなる欠点がある。
本発明は、上記した事情に鑑みてなされたもので、照明器具の内部が高温となることを防止することができ、さらに所定の配光を得ることができる筒状の天井用照明器具を提供することを目的とする。
【課題を解決するための手段】
【０００４】
上記課題を解決するために、本発明にかかる請求項１は、外周に多数の放熱孔を有する筒状覆体と、下面にソケットを配置し、安定器をソケットの上部に配置し、前記筒状覆体の内部に装着してなる電気部品支持体と、前記ソケットを挿通する空孔を形成し、外面全体にプリズムを形成したセードを支持するセード支持部を外周に有し、前記ソケットを挿通する空孔の上壁の外周に複数の空気孔を形成し、同空気孔から前記ソケットに装着してなる光源の高熱の一部が外部に抜けるように、前記セードと前記筒状覆体との間に所定の間隔を有して構成した段付受けリングと、前記段付受けリングの前記セード支持部に、前記セードの上端部を掛合支持するとともに、前記段付受けリングのセード支持部の下面に白色塗装を施して、同下面からの反射光を散乱させ、セードの直下に照射する光りが少なくなるように構成し、さらに段付受けリングの縦壁に所定の間隔で空孔を形成し、同空孔から支持バネの一部を突出させ、同支持バネが段付受けリングのセード支持部に掛合支持して前記セードの一部を押圧するように構成してある。
請求項１記載の天井用照明器具によると、セードは段付受けリングのセード支持部に確
実に掛合支持されるので、セードとランプの位置関係は一定となり、所望の配光を得るこ
とができる。また高熱は照明器具の外部に排出されるので、安定器が高温になるのを防止
することができる。
【０００５】
また、段付受けリングのソケットを挿通する空孔の上壁の外周に複数の空気孔を形成し、同空気孔からソケットに装着してなる光源の高熱の一部が外部に抜けるように構成してあるため、高熱は照明器具の外部に排出されるので、安定器が高温になるのを防止することができ、また高温により放電ランプ自体が短寿命となるのを防止することができる。
【０００６】
また、段付受けリングを前記筒状覆体とセードの間に所定の間隔を有して構成し、段付受けリングの空気孔から高熱の一部が外部に抜けるように構成してあるため、高熱は照明器具の外部に排出されるので、安定器が高温になるのを防止することができ、また高温により放電ランプ自体が短寿命となるのを防止することができる。
【発明の効果】
【０００７】
上記した本発明によると、照明器具の内部が高温となることを防止することができ、さらに所定の配光を得ることができる筒状の天井用照明器具を提供することができる。
【発明を実施するための最良の形態】
【０００８】
以下本発明に係る天井用照明器具の最良の形態を図１乃至図９について説明する。
【実施例１】
【０００９】
実施例１を図１乃至図６について説明する。図１は本発明に係る天井用照明器具の一部切欠き正面図、図２は電気部品支持体の斜視図、図３は段付受けリングの斜視図、図４は高熱の流れを示す筒状覆体と段付受けリング部の斜視図、図５は段付受けリングの一部切欠き正面図、図６はセードの一部切欠き正面図である。図１において、１は照明器具本体を構成する筒状覆体であって、外周に多数の放熱孔２を有して構成してある。同筒状覆体１は例えばパンチング材で構成し、多数の放熱孔２は３ｍｍΦ程度の大きさに構成してある。図２において、３は筒状覆体の内部に装着する電気部品支持体であって、上下端に直角に折曲片４、５を有して構成してある。６は下端の折曲片５の下面に固定してなるソケットであって、例えば高圧放電ランプ７を装着する。８はソケットの上部に配置し、電気部品支持体３に支持してなる安定器である。９は照明器具本体を構成する筒状覆体の上端に支持してなる吊り下げ具である。
【００１０】
図３において、１０はセード支持部１１を外周に有する段付受けリングであって、円形状に構成してある。１２は段付受けリング１０の上壁の略中央に構成してなるソケットを挿通する空孔であって、同空孔１２の外周に複数の空気孔１３を形成し、図４に示すように同空気孔１３からソケットに装着してなる光源の高熱の一部が外部に抜けるように構成してある。
また段付受けリング１０の外周のセード支持部１１の下面は反射光がセードの直下に照射しないように構成してある。反射光がセードの直下に照射する光を少なくするには、例えば段付受けリング１０の外周のセード支持部１１の下面に白色塗装を施して構成し反射光が散乱するように構成してある。
【００１１】
また図５に示すように、段付受けリング１０の縦壁に所定の間隔で空孔１５を形成し、同空孔から支持バネ１６の一部を突出させて構成してある。そして、同支持バネ１６が段付受けリングのセード支持部１１に掛合支持してなるセードの一部を押圧するように構成し抜け止め防止構造としてある。同構造によると、セードは段付受けリングのセード支持部に確実に掛合支持されるので、セードとランプの位置関係は一定となり、所望の配光をえることができる。
【００１２】
図６において、２０はセードであって、例えばアクリル材で構成し、外面全体にプリズムを形成して構成してある。また同セード２０は、断面縦壁面において、角度の異なる複数面を連接して構成してある。角度の異なる複数面は例えば７面として構成し、配光を制御するように構成してある。プリズムを形成してなるセードの上二段は、段付受けリング１０のセード支持部に載置され当接するように構成してある。
【００１３】
次に上記した実施例１における実験結果ついて説明する。実施例１における実験条件はつぎのとおりである。
光源：１５０ワットの高圧放電ランプ
照明器具本体を構成する筒状覆体：外周全面に多数の放熱孔を形成
セード：アクリル材で図面に示すように下面を開放
縦寸法２８．５ｃｍ、下端の直径４１．４ｃｍ
照明器具本体の縦壁における中間部の外壁部の温度：６０度（周囲温度３０度のとき）
セードの縦壁における中間部の温度：５７度（周囲温度３０度のとき）
【００１４】
上記した実施例１記載の天井用照明器具によると、セードは段付受けリングのセード支持部に確実に掛合支持され、セードとランプの位置関係は一定となり、所望の配光をえることができる。また実験結果に示すように、高熱は照明器具の外部に排出されるので、照明器具本体を構成する筒状覆体やセードが高温となるのを抑制することができる。
また安定器あるいはランプ自体が高温となり短寿命となることを防止することができる。
【実施例２】
【００１５】
次に実施例２を図７と図８について説明する。実施例２はコンパクト蛍光ランプを装着する実施例である。図７は本発明に係る天井用照明器具の実施例２の一部切欠き正面図、図８は段付受けリングの下面に配置する平板の平面図である。
実施例２については、実施例１と共通する技術内容については詳細な説明を省略し、主に相異する技術内容を説明する。実施例２はコンパクト蛍光ランプを４灯装着する構造である。
図８において、３０はコンパクト蛍光ランプを４灯装着する構造の平板である。平板３０において、３１は例えば４２ワットのコンパクト蛍光ランプを挿通する空孔であって、４か所に等間隔に構成してある。３２は空孔３１に対応して構成してなるリード線挿通孔である。同平板３０は図７に示すように、段付受けリング１０の下端にビス止めして支持してある。図７において、１は照明器具本体を構成する筒状覆体であって、外周に多数の放熱孔２を有して構成し、実施例１に示すものと同一である。図７において、３は筒状覆体の内部に装着する電気部品支持体であって、上下端に直角に折曲片４、５を有して構成し、実施例１に示すものと共通である。また同電気部品支持体３には安定器８を支持して構成してある。
【００１６】
また図７において、１０はセード支持部１１を外周に有する段付受けリングであって、円形状に構成し、実施例１に示すものと共通のものを用いて構成してある。２０はセードであって、実施例１に示すものと同一構造である。
また実施例２における平板３０の下面は白色塗装を施して構成し、反射光が散乱するように構成し、反射光がセードの直下に照射する光が少なくなるように構成してある。
３３は平板３０に固定してなるコンパクト蛍光ランプ用ソケットであって、４か所に等間隔に設けてある。３４はコンパクト蛍光ランプ用ソケットに装着してなるコンパクト蛍光ランプであって、例えば４２ワットのものを用いて構成してある。
【００１７】
次に上記した実施例２における実験結果ついて説明する。実施例２における実験条件はつぎのとおりである。
光源：４２ワットのコンパクト蛍光ランプ４灯
照明器具本体を構成する筒状覆体：外周全面に多数の放熱孔を形成
セード：アクリル材で図面に示すように下面を開放
縦寸法２８．５ｃｍ、下端の直径４１．４ｃｍ
照明器具本体の縦壁における中間部の外壁部の温度：５８度（周囲温度３０度のとき）
セードの縦壁における中間部の温度：５５度（周囲温度３０度のとき）
【００１８】
上記した実施例２に記載の天井用照明器具によると、セードは段付受けリングのセード支持部に確実に掛合支持され、セードとランプの位置関係は一定となり、所望の配光を得ることができる。また実験結果に示すように、高熱は照明器具の外部に排出されるので、照明器具本体を構成する筒状覆体やセードが高温となるのを抑制することができる。
また安定器あるいはランプ自体が高温となり短寿命となることを防止することができる。
【実施例３】
【００１９】
次に実施例３を図９について説明する。実施例３は発熱量が比較的少ない７０ワット程度の比較的低ワットの高圧放電ランプを装着する構造に適する段付受けリング４０に関する。段付受けリング４０の他は、実施例１と実施例２に示すものと同一構造であるので、詳細な説明は省略する。
図９において、段付受けリング４０は、全体を円形状に構成し、上壁の略中央にソケット挿通する空孔４１を有して構成してある。また段付受けリング４０の外周にはセード支持部４２を構成し、実施例１と実施例２に示したセードが支持されるように構成してある。またセード支持部４２の下面には白色塗装を施して構成し、反射光が散乱するように構成し、反射光がセードの直下に照射する光が少なくなるように構成してある。この技術内容は実施例１に示すものと同一である。
【００２０】
また図９に示すように、段付受けリング４０の縦壁に所定の間隔で空孔４３を形成し、同空孔から支持バネ４４の一部を突出させて構成してある。そして、同支持バネ４４が段付受けリングのセード支持部４２に掛合支持してなるセードの一部を押圧するように構成し抜け止め防止構造としてある。同技術内容は実施例１に示すものと同一である。
【００２１】
実施例３における実験に使用した各部品の条件は次のとおりである。
光源：７０ワットの高圧放電ランプ
照明器具本体を構成する筒状覆体：外周全面に多数の放熱孔を形成
セード：アクリル材で図面に示すように下面を開放
縦寸法２０ｃｍ、下端の直径３１．５ｃｍ
照明器具本体の縦壁における中間部の外壁部の温度：５４度（周囲温度３０度のとき）
セードの縦壁における中間部の温度：５２度（周囲温度３０度のとき）
【００２２】
上記した実施例３に記載の天井用照明器具によると、発熱量が比較的少ないので、照明器具内に熱がこもり高圧放電ランプが短寿命となることはなく、照明器具本体あるいはセードの外壁部が高温となることはない。
【図面の簡単な説明】
【００２３】
【図１】本発明に係る天井用照明器具の一部切欠き正面図。
【図２】図２は電気部品支持体の斜視図。
【図３】段付受けリングの斜視図。
【図４】高熱の流れを示す筒状覆体と段付受けリング部の斜視図、
【図５】段付受けリングの一部切欠き正面図。
【図６】セードの一部切欠き正面図。
【図７】本発明に係る天井用照明器具の他の実施例を示す一部切欠き正面図。
【図８】図７の段付受けリングの下面に配置する平板の平面図。
【図９】本発明に係る他の段付受けリングの斜視図。
【符号の説明】
【００２４】
１  照明器具本体を構成する筒状覆体
２  放熱孔
３  電気部品支持体
６  ソケット
７  高圧放電ランプ
８  安定器
１０  段付受けリング
１２  空孔
１３  空気孔
１１  セード支持部
１５  空孔
１６  支持バネ
２０  セード
３０  平板
３１  空孔
３２  リード線挿通孔
３３  コンパクト蛍光ランプ用ソケット
３４  コンパクト蛍光ランプ
４０  段付受けリング
４１  空孔
４２  セード支持部
４３  空孔
４４  支持バネ
【図１】
0005223131.tif 000002
【図２】
0005223131.tif 000003
【図３】
0005223131.tif 000004
【図４】
0005223131.tif 000005
【図５】
0005223131.tif 000006
【図６】
0005223131.tif 000007
【図７】
0005223131.tif 000008
【図８】
0005223131.tif 000009
【図９】
0005223131.tif 000010